(57)【要約】【課題】ＩＣチップが破損しているかどうかやＩＣチップとアンテナとの接続が断線しているかどうかを確実に検知する。【解決手段】２つの導体部１２０ａ，１２０ｂからなるアンテナ１２０と、アンテナ１２０にて生じた電流が供給されることにより非接触状態にて情報の書き込み及び／または読み出しが可能なＩＣチップ１１０とを有し、ＩＣチップ１１０が、内部にて互いに接続された２つの端子１１１ａ，１１１ｂと、内部にて互いに接続された２つの端子１１２ａ，１１２ｂとを具備し、端子１１１ａが導体部１２０ａと接続され、端子１１２ａが導体部１２０ｂと接続されてなる非接触型ＩＣタグ１００において、導体部１２０ａ，１２０ｂに接続されていない２つの端子１１１ｂ，１１２ｂ間に接続され、アンテナ１２０にて生じた電流が供給されることにより駆動する発光素子部１４０を有する。【選択図】図１
2008276607.tif 000002
【特許請求の範囲】
【請求項１】
２つの導体部からなるアンテナと、前記アンテナにて生じた電流が供給されることにより非接触状態にて情報の書き込み及び／または読み出しが可能なＩＣチップとを有し、前記ＩＣチップが、内部にて互いに接続された複数の端子からなる第１の端子群と、内部にて互いに接続された複数の端子からなる第２の端子群とを具備し、前記２つの導体部の一方が、前記第１の端子群を構成する複数の端子のうちの１つに接続され、前記２つの導体部の他方が、前記第２の端子群を構成する複数の端子のうちの１つに接続されてなるＲＦＩＤメディアにおいて、
前記第１の端子群を構成する複数の端子のうち前記導体部に接続されていない端子と、前記第２の端子群を構成する複数の端子のうち前記導体部に接続されていない端子との間に接続され、前記アンテナにて生じた電流が供給されることにより駆動する報知手段を有することを特徴とするＲＦＩＤメディア。
【発明の詳細な説明】
【技術分野】
【０００１】
本発明は、非接触状態にて情報の書き込みや読み出しが可能なＩＣチップを有してなるＲＦＩＤメディアに関し、特に、ＩＣチップが破損したりＩＣチップとアンテナとの接続が断線したりする等の不具合を検知する技術に関する。
【背景技術】
【０００２】
昨今、情報化社会の進展に伴って、情報をカードに記録し、該カードを用いた情報管理や決済等が行われている。また、商品等に貼付されるラベルやタグに情報を記録し、このラベルやタグを用いての商品等の管理も行われている。
【０００３】
このようなカードやラベル、あるいはタグを用いた情報管理においては、カードやラベル、あるいはタグに対して非接触状態にて情報の書き込みや読み出しを行うことが可能なＩＣチップが搭載された非接触型ＩＣカードや非接触型ＩＣラベル、あるいは非接触型ＩＣタグがその優れた利便性から急速な普及が進みつつある。
【０００４】
非接触状態にて情報の書き込みや読み出しが可能な非接触型ＩＣカードや非接触型ＩＣラベル、非接触型ＩＣタグにおいては、近年、小型化及び通信可能距離を確保するために、マイクロ波帯を利用して通信を行う微細なＩＣチップが用いられることが多くなってきている。
【０００５】
このような微細なＩＣチップを用いた場合、ＩＣチップに導電性のアンテナを接続することにより、ＩＣチップに対して情報の書き込みや読み出しが行われることになる。
【０００６】
図４は、マイクロ波帯を利用して通信を行うＩＣチップが搭載された非接触型ＩＣタグの一例を示す図である。
【０００７】
本構成例は図４に示すように、樹脂や紙等からなるベース基材２３０上に、互いに直列に並ぶように所定の間隔を有して形成された２つの帯状の導体部２２０ａ，２２０ｂからなるアンテナ２２０が形成されており、この２つの導体部２２０ａ，２２０ｂの一端に接続されるように、非接触状態にて情報の書き込み及び読み出しが可能なＩＣチップ２１０が搭載されて構成されている。
【０００８】
上記のように構成された非接触型ＩＣタグ２００においては、外部に設けられた情報書込／読出装置（不図示）に近接させることにより、情報書込／読出装置からの電波に共振してアンテナ２２０に電流が流れ、この電流がＩＣチップ２１０に供給され、それにより、非接触状態において、情報書込／読出装置からＩＣチップ２１０に情報が書き込まれたり、ＩＣチップ２１０に書き込まれた情報が情報書込／読出装置にて読み出されたりする。このように情報書込／読出装置にてＩＣチップ２１０に対して情報の書き込みや読み出しを行うためには、アンテナ２２０の長さを、ＩＣチップ２１０に対して情報の書き込みや読み出しを行う周波数に応じて設定しておくとともに、ＩＣチップ２１０とアンテナ２２０とのインピーダンス整合をとっておく必要がある。
【０００９】
このような非接触型ＩＣタグ２００は、製造段階においてＩＣチップ２１０が正常に動作するかどうかが検査される。また、製造後においても、ＩＣチップ２１０が破損していないかどうかやＩＣチップ２１０とアンテナ２２０との接続が断線していないかどうかを検査することで、非接触型ＩＣタグ２００を用いたアプリケーションの信頼性を向上させることができる。
【００１０】
このような検査において、ＩＣチップ２１０が破損したりＩＣチップ２１０とアンテナ２２０との接続が断線したりした場合は、情報の書き込みや読み出しができなくなる。ところが、上述したように、図４に示したような非接触型ＩＣタグ２００においては、アンテナ２２０の長さや、ＩＣチップ２１０とアンテナ部２２０とのインピーダンス整合がとられているかどうかによっても、情報の書き込みや読み出しができなくなる。そのため、ＩＣチップ２１０が破損しているかどうかやＩＣチップ２１０とアンテナ２２０との接続が断線しているかどうかを検査する場合に、情報書込／読出装置を用いて情報の書き込みや読み出しを行うだけでは、ＩＣチップ２１０が破損しているかどうかやＩＣチップ２１０とアンテナ２２０との接続が断線しているかどうかを判断することができるとは言い難い。
【００１１】
ここで、外部から加わる衝撃を感知する衝撃感知センサを備えた非接触データキャリア装置が特許文献１に記載されている。この非接触型データキャリア装置においては、衝撃によって断線する配線を有する衝撃感知センサを備え、この配線の両端部の電位を測定してＩＣチップ内に記憶しておくことにより、衝撃が加わったかどうかの情報を保持しておくことができる。
【００１２】
ところが、上述したような衝撃感知センサを用いた場合においては、外部からの衝撃が加わったかどうかを確認することができるものの、その衝撃でＩＣチップが破損しているかどうかを認識することはできない。また、衝撃が加わったかどうかを確認する場合、ＩＣチップ内に記憶された情報を読み出すことになるため、ＩＣチップに対する情報の読み出し処理を行うことになってしまい、ＩＣチップが破損している場合、その旨を検知する目的としては利用することができない。
【００１３】
そこで、ＬＥＤ等を用いた発光素子回路をＩＣチップと直列にアンテナに接続し、この発光素子回路の発光状態を用いて、ＩＣチップが破損しているかどうかやＩＣチップとアンテナとの接続が断線しているかどうかを判断することが考えられる。
【００１４】
図５は、発光素子回路を用いて不具合を検出可能な非接触型ＩＣタグの一例を示す図である。
【００１５】
本構成例は図５に示すように、樹脂や紙等からなるベース基材３３０上に、互いに同一長さを有して直列に並ぶように形成された２つの帯状の導体部３２０ａ，３２０ｂからなるアンテナ３２０が形成されており、導体部３２０ａの一端に接続されるように、非接触状態にて情報の書き込み及び読み出しが可能なＩＣチップ３１０が搭載され、また、導体部３２０ｂの一端に接続されるように、アンテナ３２０に流れる電流によって点灯するＬＥＤを有する発光素子部３４０が搭載されている。なお、ＩＣチップ３１０と発光素子部３４０とは、接続部３２１を介して互いに接続されている。また、２つの導体部３２０ａ，３２０ｂがＩＣチップ３１０及び発光素子部３４０を介して接続されたアンテナ３２０の長さは、情報の書き込み及び読み出しに用いる周波数とベース基材３３０の比透磁率及び比誘電率とから求まる波長λの１／２となっている。
【００１６】
以下に、上記のように構成された非接触型ＩＣタグ３００について、ＩＣチップ３１０が破損した場合の動作について説明する。
【００１７】
図６は、図５に示した非接触型ＩＣタグ３００においてＩＣチップ３１０が破損した場合の発光素子部３４０の動作を説明するための図であり、（ａ）はＩＣチップ３１０が破損していない場合のアンテナ３２０の接続状態を示す図、（ｂ）はＩＣチップ３１０が破損している場合のアンテナ３２０の接続状態を示す図である。
【００１８】
図５に示した非接触型ＩＣタグ３００においてＩＣチップ３１０が破損していない場合は図６（ａ）に示すように、アンテナ３２０を構成する導体部３２０ａと導体部３２０ｂとがＩＣチップ３１０、発光素子部３４０及び接続部３２１を介して互いに接続された状態となっており、２つの導体部３２０ａ，３２０ｂがＩＣチップ３１０及び発光素子部３４０を介して接続されたアンテナ３２０の長さは、上述したように、情報の書き込み及び読み出しに用いる周波数とベース基材３３０の比透磁率及び比誘電率とから求まる波長λの１／２となっている。そのため、この状態で、ＩＣチップ３１０に対して情報の書き込みや読み出しを行う情報書込／読出装置に近接させると、アンテナ３２０において、情報書込／読出装置からの情報の書き込みや読み出しを行うための周波数を有する電波に共振して電流が流れ、この電流が発光素子部３４０に供給されて発光素子部３４０が点灯する。
【００１９】
一方、図５に示した非接触型ＩＣタグ３００において、ＩＣチップ３１０に内蔵された回路部が断線する等してＩＣチップ３１０が破損している場合は図６（ｂ）に示すように、アンテナ３２０を構成する導体部３２０ａと導体部３２０ｂとがＩＣチップ３１０内の回路部にて断線した状態となる。そのため、アンテナ３２０が、共振点における周波数がとなって共振するダイポールアンテナとして機能しなくなり、アンテナ３２０には電流が流れない。それにより、ＩＣチップ３１０に内蔵された回路部が断線する等してＩＣチップ３１０が破損している場合は、アンテナ３２０には電流が生じず、発光素子部３４０が点灯しない。
【００２０】
このように、ＩＣチップ３１０が破損していない場合は、ＩＣチップ３１０に対して情報の書き込みや読み出しを行う情報書込／読出装置に近接させると、情報書込／読出装置からの情報の書き込みや読み出しを行うための周波数を有する電波にアンテナ３２０が共振してアンテナ３２０に電流が流れ、この電流によって発光素子部３４０が点灯し、また、ＩＣチップ３１０内の回路部が断線する等、ＩＣチップ３１０が破損している場合は、情報書込／読出装置に近接させても、情報書込／読出装置からの情報の書き込みや読み出しを行うための周波数を有する電波にアンテナ３２０が共振せず、発光素子部３４０に電流が供給されずに発光素子部３４０が点灯しないので、発光素子部３４０が点灯するかどうかによって、ＩＣチップ３１０が破損しているかどうかを検知することができる。
【特許文献１】特開２００２−１５０２４９号公報
【発明の開示】
【発明が解決しようとする課題】
【００２１】
しかしながら、図５に示したものにおいては、アンテナ３２０を構成する導体部３２０ａ，３２０ｂが同一長さを有するものであるため、アンテナ３２０の長さが、情報の書き込み及び読み出しに用いる周波数とベース基材３３０の比透磁率及び比誘電率とから求まる波長λの１／２となっている場合、導体部３２０ａ，３２０ｂの長さがそれぞれ、情報の書き込み及び読み出しに用いる周波数とベース基材３３０の比透磁率及び比誘電率とから求まる波長λの１／４となることになる。そのため、図６（ｂ）に示したように、アンテナ２２０を構成する導体部３２０ａと導体部３２０ｂとがＩＣチップ３１０内の回路部にて断線した状態となっている場合であっても、ＩＣチップ３１０に対して情報の書き込みや読み出しを行う情報書込／読出装置に近接させると、発光素子部３４０に接続された導体部３２０ｂがモノポールアンテナとして機能し、導体部３２０ｂに電流が流れ、この電流が発光素子部３４０に供給されて発光素子部３４０が点灯してしまう。
【００２２】
そのため、ＩＣチップが破損しているかどうかやＩＣチップとアンテナとの接続が断線しているかどうかを正しく判断することができないという問題点がある。
【００２３】
本発明は、上述したような従来の技術が有する問題点に鑑みてなされたものであって、ＩＣチップが破損しているかどうかやＩＣチップとアンテナとの接続が断線しているかどうかを確実に検知することができるＲＦＩＤメディアを提供することを目的とする。
【課題を解決するための手段】
【００２４】
上記目的を達成するために本発明は、
２つの導体部からなるアンテナと、前記アンテナにて生じた電流が供給されることにより非接触状態にて情報の書き込み及び／または読み出しが可能なＩＣチップとを有し、前記ＩＣチップが、内部にて互いに接続された複数の端子からなる第１の端子群と、内部にて互いに接続された複数の端子からなる第２の端子群とを具備し、前記２つの導体部の一方が、前記第１の端子群を構成する複数の端子のうちの１つに接続され、前記２つの導体部の他方が、前記第２の端子群を構成する複数の端子のうちの１つに接続されてなるＲＦＩＤメディアにおいて、
前記第１の端子群を構成する複数の端子のうち前記導体部に接続されていない端子と、前記第２の端子群を構成する複数の端子のうち前記導体部に接続されていない端子との間に接続され、前記アンテナにて生じた電流が供給されることにより駆動する報知手段を有することを特徴とする。
【００２５】
上記のように構成された本発明においては、ＩＣチップが破損したりＩＣチップとアンテナとの接続が断線したりしていない場合は、アンテナを構成する２つの導体部がＩＣチップを介して接続された状態となっているため、受信した電波に共振することによりアンテナに電流が生じてこの電流がＩＣチップに供給され、それにより、ＩＣチップに対して非接触状態にて情報の書き込みや読み出しが行われる。この際、２つの導体部の間にはＩＣチップの第１及び第２の端子群を構成する端子を介して報知手段が接続されており、この報知手段にもアンテナに生じた電流がＩＣチップの内部の配線を介して供給され、報知手段が駆動する。一方、ＩＣチップが破損したりＩＣチップとアンテナとの接続が断線したりしている場合は、ＩＣチップに対して非接触状態にて情報の書き込みや読み出しは行われず、またその際、ＩＣチップが破損したりＩＣチップとアンテナとの接続が断線したりしていることにより、アンテナに電流が生じたとしてもその電流がＩＣチップの第１及び第２の端子群を構成する端子を介して報知手段に供給されることはなく、報知手段が駆動しない。
【００２６】
このように、ＩＣチップが破損したりＩＣチップとアンテナとの接続が断線したりしていない場合は、アンテナに生じる電流によって報知手段が駆動し、また、ＩＣチップが破損したりＩＣチップとアンテナとの接続が断線したりしている場合は、報知手段が駆動しないことにより、この報知手段を用いて、ＩＣチップが破損しているかどうかやＩＣチップとアンテナとの接続が断線しているかどうかが検知されることになる。
【発明の効果】
【００２７】
以上説明したように本発明においては、ＩＣチップが破損したりＩＣチップとアンテナとの接続が断線したりしていない場合は、アンテナに生じる電流によって報知手段を駆動させ、また、ＩＣチップが破損したりＩＣチップとアンテナとの接続が断線したりしている場合は、報知手段を駆動させない構成とすることにより、この報知手段を用いて、ＩＣチップが破損しているかどうかやＩＣチップとアンテナとの接続が断線しているかどうかを確実に検知することができる。
【発明を実施するための最良の形態】
【００２８】
以下に、本発明の実施の形態について図面を参照して説明する。
【００２９】
図１は、本発明のＲＦＩＤメディアの実施の一形態を示す図であり、（ａ）は上面図、（ｂ）は（ａ）に示したＩＣチップ１１０及び発光素子部１４０を取り除いた状態を示す図、（ｃ）は（ａ）に示したＩＣチップ１１０の裏面の構成を示す図、（ｄ）は（ａ）に示したＩＣチップ１１０の内部構成を示す図である。
【００３０】
本形態は図１（ａ），（ｂ）に示すように、樹脂や紙等からなるベース基材１３０上に、２つの導体部１２０ａ，１２０ｂからなるアンテナ１２０が形成されるとともに、２つの導体部１２０ａ，１２０ｂの間にＩＣチップ１１０が接続され、さらにこのＩＣチップ１１０に報知手段である発光素子部１４０が接続されて構成されている。
【００３１】
導体部１２０ａ，１２０ｂはそれぞれ、一端部から放射状に広がるボウタイアンテナ形状を有し、それぞれその一端部にＩＣチップ１１０が接続されている。また、ＩＣチップ１１０には、ベース基材１３０に形成された配線部１５０ａ，１５０ｂを介して発光素子部１４０が接続されている。
【００３２】
ＩＣチップ１１０は図１（ｃ），（ｄ）に示すように、内部に情報の書き込み及び読み出しが可能なメモリや制御回路等からなる制御／記憶部１１３を有し、この制御／記憶部１１３を挟んで一方の側にＩＣチップ１１０の内部で配線によって互いに接続された２つの端子１１１ａ，１１１ｂを有し、他方の側にＩＣチップ１１０の内部で配線によって互いに接続された２つの端子１１２ａ，１１２ｂを有している。この２つの端子１１１ａ，１１１ｂによって第１の端子群が構成され、また、２つの端子１１２ａ，１１２ｂによって第２の端子群が構成されている。そして、端子１１１ａが導体部１２０ａと接続され、端子１１２ａが導体部１２０ｂと接続され、端子１１１ｂが配線部１５０ａと接続され、端子１１２ｂが配線部１５０ｂと接続されるようにＩＣチップ１１０がベース基材１３０上に搭載されている。
【００３３】
発光素子部１４０は、コンデンサやダイオード等からなる回路部（不図示）とＬＥＤ（不図示）とからなり、回路部に設けられた２つの外部接続端子（不図示）が配線部１５０ａ，１５０ｂにそれぞれ接続されている。２つの導体部１２０ａ，１２０ｂからなるアンテナ１２０には、外部に設けられた情報書込／読出装置に非接触型ＩＣタグ１００が近接した場合に交流電流が流れるが、この交流電流は、コンデンサやダイオード等からなる回路部によって直流電流に変換されてＬＥＤに供給され、供給された直流電流によってＬＥＤが点灯する。
【００３４】
ここで、導体部１２０ａ，１２０ｂの長さについて説明する。
【００３５】
図２は、図１に示した非接触型ＩＣタグ１００の周波数特性を説明するための図であり、ＩＣチップ１１０への情報の書き込み及び読み出しに用いる周波数に対する非接触型ＩＣタグ１００のリターンロスを示す。
【００３６】
図１に示した非接触型ＩＣタグ１００においては、図２に示すように、情報の書き込み及び読み出しに用いる周波数によってリターンロスが変化するため、リターンロスが最も低くなるアンテナ１２０における共振点であるピークポイントＡにおける周波数を、情報の書き込み及び読み出しに用いる周波数ｆaに設定する必要がある。ここで、導体部１２０ａ，１２０ｂにおいては、ＩＣチップ１１０を介して接続された長さが、情報の書き込み及び読み出しに用いる周波数ｆaとベース基材１３０の比透磁率及び比誘電率とから求まる波長λの１／４の倍数である場合に、その共振点における周波数がｆaとなって共振するダイポールアンテナとして機能し、ＩＣチップ１１０に対する情報の書き込みや読み出しが可能となる。
【００３７】
そのため、アンテナ１２０の図中左右方向の長さ、すなわち、２つの導体部１２０ａ，１２０ｂがＩＣチップ１１０を介して接続された長さは、情報の書き込み及び読み出しに用いる周波数ｆaとベース基材１３０の比透磁率及び比誘電率とから求まる波長λの１／４となっている。なお、本形態にて示した導体部１２０ａ，１２０ｂは、それぞれボウタイアンテナ形状となっており、それにより、２つの導体部１２０ａ，１２０ｂがＩＣチップ１１０を介して接続された長さは、図中Ｂ点からＩＣチップ１１０を介して図中Ｂ’点までの長さが最も短く、図中Ａ点からＩＣチップ１１０を介して図中Ａ’点までの長さが最も長くなっているが、この図中Ｂ点からＩＣチップ１１０を介して図中Ｂ’点までの長さから、図中Ａ点からＩＣチップ１１０を介して図中Ａ’点までの長さまでの間に、情報の書き込み及び読み出しに用いる周波数ｆaとベース基材１３０の比透磁率及び比誘電率とから求まる波長λの１／４が存在するようになっている。
【００３８】
上記のように構成された非接触型ＩＣタグ１００においては、外部に設けられた情報書込／読出装置（不図示）に近接させることにより、情報書込／読出装置からの周波数ｆaを有する電波に共振して２つの導体部１２０ａ，１２０ｂからなるアンテナ１２０に電流が流れ、この電流がＩＣチップ１１０に供給され、それにより、非接触状態において、情報書込／読出装置からＩＣチップ１１０に情報が書き込まれたり、ＩＣチップ１１０に書き込まれた情報が情報書込／読出装置にて読み出されたりする。またこの際、ＩＣチップ１１０には、端子１１１ｂ，１１２ｂのそれぞれに配線部１５０ａ，１５０ｂを介して発光素子部１４０が接続されている。この端子１１１ｂ，１１２ｂは、図１（ｄ）に示したように、導体部１２０ａ，１２０ｂに接続された端子１１１ａ，１１２ａにＩＣチップ１１０の内部にて接続されているため、アンテナ１２０に流れた電流がＩＣチップ１１０及び配線部１５０ａ，１５０ｂを介して発光素子部１４０にも供給され、発光素子部１４０が駆動してＬＥＤが点灯する。
【００３９】
以下に、上述した非接触型ＩＣタグ１００において、ＩＣチップ１１０が破損したりＩＣチップ１１０とアンテナ１２０との接続が断線したりしている場合の発光素子部１４０の動作について説明する。
【００４０】
図３は、図１に示した非接触型ＩＣタグ１００においてＩＣチップ１１０が破損したりＩＣチップ１１０とアンテナ１２０との接続が断線したりしている場合の発光素子部１４０の動作を説明するための図であり、（ａ）はＩＣチップ１１０が破損したりＩＣチップ１１０とアンテナ１２０との接続が断線したりしていない場合の接続状態を示す図、（ｂ）はＩＣチップ１１０が破損したりＩＣチップ１１０とアンテナ１２０との接続が断線したりしている場合の接続状態を示す図である。
【００４１】
図１に示した非接触型ＩＣタグ１００においてＩＣチップ１１０が破損したりＩＣチップ１１０とアンテナ１２０との接続が断線したりしていない場合は図３（ａ）に示すように、アンテナ１２０を構成する導体部１２０ａと導体部１２０ｂとがＩＣチップ１１０を介して互いに接続された状態となっており、２つの導体部１２０ａ，１２０ｂがＩＣチップ１１０を介して接続されたアンテナ１２０の長さは、上述したように、情報の書き込み及び読み出しに用いる周波数ｆaとベース基材１３０の比透磁率及び比誘電率とから求まる波長λの１／４の倍数となっている。そのため、この状態で、ＩＣチップ１１０に対して情報の書き込みや読み出しを行う情報書込／読出装置に近接させると、アンテナ１２０において、情報書込／読出装置からの情報の書き込みや読み出しを行うための周波数ｆaを有する電波に共振して電流が流れ、この電流が、導体部１２０ａ，１２０ｂに接続された端子１１１ａ，１１２ａを介してＩＣチップ１１０の制御／記憶部１１３に供給され、ＩＣチップ１１０に対する情報の書き込みや読み出しが行われることになる。またこの際、導体部１２０ａ，１２０ｂに接続された端子１１１ａ，１１２ａにＩＣチップ１１０の内部にて接続された端子１１１ｂ，１１２ｂのそれぞれに、配線部１５０ａ，１５０ｂを介して発光素子部１４０が接続されているため、アンテナ１２０に流れた電流がＩＣチップ１１０及び配線部１５０ａ，１５０ｂを介して発光素子部１４０にも供給され、発光素子部１４０が駆動してＬＥＤが点灯する。なお、アンテナ１２０は、２つの導体１２０ａ，１２０ｂの互いに対向する端部が給電点となるように設計されており、この点にて最大電流が得られるため、この給電点に接続されたＩＣチップ１１０に発光素子部１４０を接続することにより、アンテナ１２０にて生じた電流によって発光素子部１４０内のＬＥＤ１４１を点灯しやすくすることができる。
【００４２】
一方、図１に示した非接触型ＩＣタグ１００において、ＩＣチップ１１０が破損したりＩＣチップ１１０とアンテナ１２０との接続が断線したりしている場合は図３（ｂ）に示すように、アンテナ１２０を構成する導体部１２０ａと導体部１２０ｂとがＩＣチップ１１０が接続された点にて断線した状態となる。そのため、アンテナ１２０が、共振点における周波数がｆaとなって共振するダイポールアンテナとして機能しなくなり、この状態で、ＩＣチップ１１０に対して情報の書き込みや読み出しを行う情報書込／読出装置に近接させても、アンテナ１２０には電流が流れず、ＩＣチップ１１０に情報が書き込まれたり、ＩＣチップに１１０に書き込まれた情報が読み出されたりしなくなる。またこの際、ＩＣチップ１１０が破損したりＩＣチップ１１０とアンテナ１２０との接続が断線したりしていることにより、アンテナ１２０に電流が生じたとしてもその電流が、配線部１５０ａ，１５０ｂを介してＩＣチップ１１０に接続された発光素子部１４０に供給されることはなく、発光素子部１４０内のＬＥＤ１４１は点灯しない。
【００４３】
このように、ＩＣチップ１１０が破損したりＩＣチップ１１０とアンテナ１２０との接続が断線したりしていない場合は、ＩＣチップ１１０に対して情報の書き込みや読み出しを行う情報書込／読出装置に近接させると、情報書込／読出装置からの情報の書き込みや読み出しを行うための周波数ｆaを有する電波にアンテナ１２０が共振してアンテナ１２０に電流が流れ、この電流によって発光素子部１４０内のＬＥＤが点灯し、また、ＩＣチップ１１０が破損したりＩＣチップ１１０とアンテナ１２０との接続が断線したりしている場合は、情報書込／読出装置に近接させても、情報書込／読出装置からの情報の書き込みや読み出しを行うための周波数ｆaを有する電波にアンテナ１２０が共振せず、発光素子部１４０に電流が供給されずに発光素子部１４０内のＬＥＤが点灯しないので、発光素子部１４０内のＬＥＤ１４１が点灯するかどうかによって、ＩＣチップ１１０が破損したりＩＣチップ１１０とアンテナ１２０との接続が断線したりしているかどうかを検知することができる。
【００４４】
また、上述したように発光素子部１４０の起電力は、情報書込／読出装置からの電波にアンテナ１２０が共振することによりアンテナ１２０に生じる電流によるものであるため、発光素子部１４１内のＬＥＤを点灯させるための電池等の電源を非接触型ＩＣタグ１００に内蔵しておく必要がなく、電池切れ等のメンテナンスが不要となる。
【００４５】
なお、本形態においては、ＩＣチップ１１０に４つの端子１１１ａ，１１１ｂ，１１２ａ，１１２ｂが設けられ、そのうち第１の端子群を構成する端子１１１ａと端子１１１ｂとがＩＣチップ１１０の内部にて接続され、第２の端子群を構成する端子１１２ａと端子１１２ｂとがＩＣチップ１１０の内部にて接続され、さらに、端子１１１ａ，１１２ａが導体部１２０ａ，１２０ｂにそれぞれ接続され、２つの端子１１１ｂ，１１２ｂ間に配線部１５０ａ，１５０ｂを介して発光素子部１４０が接続された構成としたが、本発明は、ＩＣチップ１１０の内部で互いに接続され、第１及び第２の端子群を構成する端子をそれぞれ３つ以上有し、そのうち、１つずつの端子が導体部１２０ａ，１２０ｂにそれぞれ接続され、第１及び第２の端子群を構成する端子のうち導体部１２０ａ，１２０ｂに接続されていない端子間に配線部１５０ａ，１５０ｂを介して発光素子部１４０が接続された構成であればよい。
【００４６】
また、本形態においては、２つの導体部１２０ａ，１２０ｂがＩＣチップ１１０を介して接続された長さが、情報の書き込み及び読み出しに用いる周波数ｆaとベース基材１３０の比透磁率及び比誘電率とから求まる波長λの１／４となっているが、情報の書き込み及び読み出しに用いる周波数ｆaとベース基材１３０の比透磁率及び比誘電率とから求まる波長λの１／４の倍数であればよい。
【００４７】
また、本形態においては、ＩＣチップ１１０に対して情報の書き込みや読み出しが行われる際にその旨を報知する手段として、アンテナ１２０にて生じる電流によって点灯するＬＥＤを例に挙げて説明したが、アンテナ１２０にて生じる電流によって振動するバイブレータや、アンテナ１２０にて生じる電流によって音を発生させるブザー等を報知手段として用いることも考えられる。
【００４８】
また、アンテナ１２０を構成する２つの導体部１２０ａ，１２０ｂにおいては、その形状がボウタイアンテナ形状に限らず、その長さについて上述した条件を満たすものであれば直線状のものやメアンダ状のもの等であってもよい。
【００４９】
また、本形態においては、ＲＦＩＤメディアとして非接触型ＩＣタグを例に挙げて説明したが、本発明は、非接触型ＩＣカードや非接触型ＩＣラベルにも適用できることは言うまでもない。
【図面の簡単な説明】
【００５０】
【図１】本発明のＲＦＩＤメディアの実施の一形態を示す図であり、（ａ）は上面図、（ｂ）は（ａ）に示したＩＣチップ及び発光素子部を取り除いた状態を示す図、（ｃ）は（ａ）に示したＩＣチップの裏面の構成を示す図、（ｄ）は（ａ）に示したＩＣチップの内部構成を示す図である。
【図２】図１に示した非接触型ＩＣタグの周波数特性を説明するための図である。
【図３】図１に示した非接触型ＩＣタグにおいてＩＣチップが破損したりＩＣチップとアンテナとの接続が断線したりしている場合の発光素子部の動作を説明するための図であり、（ａ）はＩＣチップが破損したりＩＣチップとアンテナとの接続が断線したりしていない場合の接続状態を示す図、（ｂ）はＩＣチップが破損したりＩＣチップとアンテナとの接続が断線したりしている場合の接続状態を示す図である。
【図４】マイクロ波帯を利用して通信を行うＩＣチップが搭載された非接触型ＩＣタグの一例を示す図である。
【図５】発光素子回路を用いて不具合を検出可能な非接触型ＩＣタグの一例を示す図である。
【図６】図５に示した非接触型ＩＣタグにおいてＩＣチップが破損した場合の発光素子部の動作を説明するための図であり、（ａ）はＩＣチップが破損していない場合のアンテナの接続状態を示す図、（ｂ）はＩＣチップが破損している場合のアンテナの接続状態を示す図である。
【符号の説明】
【００５１】
１００    非接触型ＩＣタグ
１１０    ＩＣチップ
１１１ａ，１１１ｂ，１１２ａ，１１２ｂ    端子
１１３    制御／記憶部
１２０    アンテナ
１２０ａ，１２０ｂ    導体部
１３０    ベース基材
１４０    発光素子部
１５０ａ，１５０ｂ    配線部
【図１】
2008276607.tif 000003
【図２】
2008276607.tif 000004
【図３】
2008276607.tif 000005
【図４】
2008276607.tif 000006
【図５】
2008276607.tif 000007
【図６】
2008276607.tif 000008